(57)【要約】【課題】液体が流路に十分に供給されるとも液体が流路から十分に回収され、生化学検査の精度が向上する生化学検査装置を提供する。【解決手段】洗浄液、試料液、蛍光標識液等の液体が流路に満たされる場合は、ノズルが挿入孔に相対的に浅く挿入される位置に搬送機構がポンプを搬送し、ポンプが駆動されノズルの内部から吐出／吸引口を経由して液体が吐出される。液体が吐出された後に、ノズルが挿入孔に相対的に深く挿入される位置に搬送機構がポンプを搬送し、ポンプが駆動されノズルの内部へ吐出／吸引口を経由して液体が吸引される。【選択図】図１７
2013185967.tif 000002
【特許請求の範囲】
【請求項１】
生化学検査装置であって、
吐出／吸引口が形成される先端を有するノズルと、
前記ノズルが装着されるノズル装着部を備え、前記吐出／吸引口を経由して液体を吐出／吸引するポンプと、
前記ポンプを搬送する搬送機構と、
生化学反応が進行する反応場を提供する反応場提供物と、
流路及び挿入孔が形成され、前記流路の内部に前記反応場提供物が配置され、前記挿入孔が前記流路に接続される構造体と、
前記ポンプ及び前記搬送機構を制御し、前記ノズルが前記挿入孔に相対的に浅く挿入させる位置へ前記搬送機構に前記ポンプを搬送させ、前記ポンプを駆動して前記ノズルの内部から前記液体を吐出させる供給制御部と、
前記ポンプを駆動して前記ノズルの内部から前記液体を吐出させた後に、前記ポンプ及び前記搬送機構を制御し、前記ノズルが前記挿入孔に相対的に深く挿入される位置へ前記搬送機構に前記ポンプを搬送させ、前記ポンプを駆動して前記ノズルの内部へ前記液体を吸引させる回収制御部と、
を備える
生化学検査装置。
【請求項２】
請求項１の生化学検査装置において、
前記ポンプが駆動され前記ノズルの内部から前記液体が吐出される場合に前記先端が吐出位置に配置され、前記ポンプが駆動され前記ノズルの内部へ前記液体が吸引される場合に前記先端が吸引位置に配置され、
前記先端を検出する先端検出部と、
前記先端の検出結果から、前記先端が前記吐出位置及び前記吸引位置に配置される前記ポンプの位置を決定するポンプ位置決定部と、
をさらに備える
生化学検査装置。
【請求項３】
請求項１又は請求項２の生化学検査装置において、
前記液体が第１の液体であり、
前記回収制御部は、前記第１の液体が前記流路から回収された後に前記第１の液体と異なる第２の液体が前記流路に供給される場合において前記第１の液体が前記流路から回収されるときに前記ノズルが前記挿入孔に相対的に深く挿入される位置へ前記搬送機構に前記ポンプを搬送させる
生化学検査装置。
【発明の詳細な説明】
【技術分野】
【０００１】
本発明は、生化学検査装置に関する。
【背景技術】
【０００２】
生化学検査において抗原抗体反応等の生化学反応が利用される。例えば、抗体を含む抗原捕捉膜が流路の内面に定着させられ、抗原を含む試料液が流路へ供給され、試料液に含まれる抗原と抗原捕捉膜に含まれる抗体とが結合させられる。抗体への抗原の結合の有無、抗体への抗原の結合量等は、表面プラズモン励起蛍光分光法（ＳＰＦＳ）、表面プラズモン共鳴法（ＳＰＲ）等により計測される。試料液が流路に供給される前又は試料液が流路に供給された後に、洗浄液、蛍光標識液等の試料液以外の液体が流路へ供給される場合もある。液体は、多くの場合において、ノズルの先端に形成された吐出／吸引口を経由して吐出／吸引される。
【０００３】
特許文献１の生化学検査装置（バイオセンサー）においては、抗体（アナライト）を含む抗原捕捉膜（リンカー層）が流路（流体流路）の内面（金属膜の表面）に定着させられ（段落００２６）、抗原（タンパク質）を含む試料液（アナライト溶液）が流路へ供給され（段落００６１）、試料液に含まれる抗原と抗原捕捉膜に含まれる抗体とが結合させられる（段落００６１）。試料液が流路に供給される前又は試料液が流路に供給された後に、試料液以外の液体（前処理用の液体及び後処理用の液体）が流路へ供給される（段落００６２）。液体は、ノズル（ピペットチップ）の先端に形成された吐出／吸引口を経由して吐出／吸引される。ノズルは、挿入孔に挿入される。
【先行技術文献】
【特許文献】
【０００４】
【特許文献１】特開２００７−２６３７０５号公報
【発明の概要】
【発明が解決しようとする課題】
【０００５】
生化学反応の大部分は可逆反応であるため、流路から液体が回収された後に流路に残存する液体の量は、生化学反応の進行の程度に影響する。特に、２種以上の液体が流路に順次に吐出／吸引され、２段階以上で生化学反応が進行させられる場合は、流路から液体が回収された後に流路に残存する液体の量は、生化学反応の進行の程度に大きく影響する。
【０００６】
流路に残存する液体の量は、ノズルが挿入孔に深く挿入された場合には減少する。しかし、ノズルが挿入孔に深く挿入された場合には、液体が供給される場合に流路抵抗が増加し、液体が流路に十分に供給されない。
【０００７】
本発明は、この問題を解決するためになされる。本発明の目的は、液体が流路に十分に供給されるとともに液体が流路から十分に回収され、生化学検査の精度が向上する生化学検査装置を提供することである。
【課題を解決するための手段】
【０００８】
本発明は、生化学検査装置に向けられる。
【０００９】
本発明の第１の局面においては、ノズル、ポンプ、搬送機構、反応場提供物及び構造体が設けられる。
【００１０】
ノズルは、先端を有する。先端には、吐出／吸引口が形成される。
【００１１】
ポンプは、ノズル装着部を備える。ノズル装着部には、ノズルが装着される。ポンプは、吐出／吸引口を経由して液体を吐出／吸引する。
【００１２】
搬送機構は、ポンプを搬送する。
【００１３】
反応場提供物は、反応場を提供する。反応場においては、生化学反応が進行する。
【００１４】
構造物には、流路及び挿入孔が形成される。流路の内部には、反応場提供物が配置される。挿入孔及び流路は接続される。
【００１５】
ノズルが挿入孔に相対的に浅く挿入される位置へ搬送機構がポンプを搬送し、ポンプが駆動されノズルの内部から液体が吐出される。
【００１６】
ポンプが駆動されノズルの内部から液体が吐出された後に、ノズルが挿入孔に相対的に深く挿入される位置へ搬送機構がポンプを搬送し、ポンプが駆動されノズルの内部へ液体が吸引される。
【００１７】
本発明の第２の局面は、本発明の第１の局面にさらなる事項を付加する。本発明の第２の局面においては、ポンプが駆動されノズルの内部から液体が吐出される場合にノズルの先端が吐出位置に配置され、ポンプが駆動されノズルの内部へ液体が吸引される場合にノズルの先端が吸引位置に配置される。
【００１８】
ノズルの先端が検出される。ノズルの先端の検出結果から、ノズルの先端が吐出位置及び吸引位置に配置されるポンプの位置が決定される。
【００１９】
本発明の第３の局面は、本発明の第１又は第２の局面にさらなる事項を付加する。本発明の第３の局面においては、第１の液体が流路から回収された後に第２の液体が流路に供給される場合において第１の液体が流路から回収されるときにノズルが挿入孔に相対的に深く挿入される位置に搬送機構がポンプを搬送する。
【発明の効果】
【００２０】
本発明によれば、液体が供給される場合に、流路抵抗が減少し、液体が十分に供給される。液体が回収される場合に、液体が十分に回収される。流路への液体の供給及び流路からの液体の回収が適切に行われる。生化学反応が適切に進行する。生化学検査の精度が向上する。
【００２１】
特に、本発明の第２の局面によれば、ノズルの長さがノズルの個体ごとに異なる場合でもノズルの先端が一定の位置に配置される。液体の供給及び回収が安定する。生化学検査の精度が向上する。
【００２２】
これらの及びこれら以外の本発明の目的、特徴、局面及び利点は、添付図面とともに考慮されたときに下記の本発明の詳細な説明によってより明白となる。
【図面の簡単な説明】
【００２３】
【図１】生化学検査装置の模式図である。
【図２】反応進行部の模式図である。
【図３】ポンプユニットの断面図である。
【図４】送液コントローラーのブロック図である。
【図５】計測部の模式図である。
【図６】計測コントローラーのブロック図である。
【図７】検査チップの斜視図である。
【図８】検査チップの断面図である。
【図９】検査チップの断面図である。
【図１０】試薬チップの側面図である。
【図１１】生化学反応の進行を示す模式図である。
【図１２】生化学反応の進行を示す模式図である。
【図１３】ノズルが挿入孔に挿入された状態の断面図である。
【図１４】ノズルが挿入孔に挿入された状態の断面図である。
【図１５】生化学検査の手順を示すフローチャートである。
【図１６】生化学検査の手順を示すフローチャートである。
【図１７】搬送の手順を示すフローチャートである。
【発明を実施するための形態】
【００２４】
（生化学検査装置の概略）
この望ましい実施形態は、生化学検査装置に関する。この望ましい実施形態の生化学検査装置は、表面プラズモン励起蛍光分光法（ＳＰＦＳ）により生化学検査を行う。
【００２５】
図１の模式図は、生化学検査装置を示す。
【００２６】
図１に示すように、生化学検査装置１０００は、反応進行部１０１０、計測部１０１１、搬送機構１０１２、検査チップ１０１３及び試薬チップ１０１４を備える。検査チップ１０１３及び試薬チップ１０１４は、反応進行部１０１０に着脱される。検査チップ１０１３は、反応進行部１０１０及び計測部１０１１を往来する。
【００２７】
図２の模式図は、反応進行部１０１０を示す。
【００２８】
図２に示すように、反応進行部１０１０は、送液機構１０２０及び送液コントローラー１０２１を備える。送液機構１０２０は、ポンプユニット１０３０及び搬送機構１０３１を備える。
【００２９】
図３の模式図は、ポンプユニットを示す。図３は、断面図である。
【００３０】
図３に示すように、ポンプユニット１０３０は、ノズル１０４０及びポンプ１０４１を備える。ポンプ１０４１は、シリンダー１１５０、Ｏリング１１５１、ピストン１１５２及びモーター１１５３を備える。シリンダー１１５０は、シリンダー室形成部１１６０及びノズル装着部１１６１を備える。
【００３１】
図４のブロック図は、送液コントローラーを示す。
【００３２】
図４に示すように、送液コントローラー１０２１は、装着制御部１０７０、先端検出部１０７１、ポンプ位置決定部１０７２、洗浄液供給制御部１０７３、洗浄液回収制御部１０７４、試料液調製制御部１０７５、試料液供給制御部１０７６、試料液回収制御部１０７７、蛍光標識液供給制御部１０７８及び蛍光標識液回収制御部１０７９を備える。
【００３３】
図５の模式図は、計測部を示す。
【００３４】
図５に示すように、計測部１０１１は、照射機構１０８０、測定機構１０８１及び計測コントローラー１０８２を備える。照射機構１０８０は、レーザーダイオード１０９０、直線偏光板１０９１、ミラー１０９２及びミラー駆動機構１０９３を備える。測定機構１０８１は、光電子増倍管１１００、ローパスフィルター１１０１、ローパスフィルター駆動機構１１０２及びフォトダイオード１１０３を備える。
【００３５】
図６のブロック図は、計測コントローラーを示す。
【００３６】
図６に示すように、計測コントローラー１０８２は、共鳴角検出部１１１０及び光量測定部１１１１を備える。
【００３７】
図７から図９までの模式図は、検査チップを示す。図７は斜視図であり、図８及び図９は断面図である。図８は、図９のＡ−Ａ断面図である。図９は、図８のＢ−Ｂ断面図である。
【００３８】
図７から図９までに示すように、検査チップ１０１３は、抗原捕捉膜１１２０及び構造体１１２１を備える。構造体１１２１は、複合体１１３０、シート１１３１、蓋１１３２、挿入孔密閉シール１１３３及び液だめ密閉シール１１３４を備える。複合体１１３０は、プリズム１１４０及び金膜１１４１を備える。
【００３９】
図１０の模式図は、試薬チップを示す。図１０は、側面図である。
【００４０】
図１０に示すように、試薬チップ１０１４は、洗浄液容器１１５０、検体容器１１５１、希釈液容器１１５２、試料液容器１１５３、蛍光標識液容器１１５４及びホルダー１１５５を備える。洗浄液容器１１５０には洗浄液１１６０が収容され、検体容器１１５１には検体１１６１が収容され、希釈液容器１１５２には希釈液１１６２が収容され、試料液容器１１５３には検体１１６１が希釈液１１６２で希釈された試料液１１６３が収容され、蛍光標識液容器１１５４には蛍光標識液１１６４が収容される。試薬チップ１０１４は、反応進行部１０１０に取り付けられた当初には、ノズル１０４０も備える。ノズル１０４０は、試薬チップ１０１４が反応進行部１０１０に取り付けられた後にポンプ１０４１に装着される。
【００４１】
これら以外の構成物が生化学検査装置１０００に付加されてもよい。これらの構成物の一部が生化学検査装置１０００から省略される場合もある。
【００４２】
（生化学検査の概略）
図１１及び図１２の模式図は、生化学反応の進行を示す。
【００４３】
ＳＰＦＳによる生化学検査が行われる場合は、反応進行部１０１０において生化学反応が進行させられ、計測部１０１１において計測が行われる。
【００４４】
生化学反応が進行させられる場合は、送液機構１０２０が試料液１１６３及び蛍光標識液１１６４を流路１２００に順次に満たす。試料液１１６３が流路１２００に満たされた場合は、図１１に示すように、試料液１１６３に含まれる抗原１２１０と抗原捕捉膜１１２０に固定された抗体１２１１とが結合し、試料液１１６３に含まれる抗原１２１０が抗原捕捉膜１１２０に捕捉される。蛍光標識液１１６４が流路１２００に満たされた場合は、図１２に示すように、抗原捕捉膜１１２０に捕捉された抗原１２１０と蛍光標識液１１６４に含まれる蛍光標識抗体１２１２とが結合し、抗原捕捉膜１１２０に捕捉された抗原１２１０に蛍光標識が付加される。
【００４５】
計測が行われる場合は、図５に示すように、照射機構１０８０が励起光ＥＬをプリズム１１４０に照射する。照射された励起光ＥＬは、入射面１２２０に入射し反射面１２２１に反射され出射面１２２２から出射する。励起光ＥＬが反射面１２２１に反射された場合は、反射面１２２１から金膜１１４１の側にエバネッセント波がもれだす。もれだしたエバネッセント波の電場は、金膜１１４１の表面のプラズモンに共鳴し、増強される。増強された電場は、抗原捕捉膜１１２０に捕捉された抗原１２１０に付加された蛍光標識を励起する。励起された蛍光標識からは、表面プラズモン励起蛍光ＦＬが放射される。測定機構１０８１は、表面プラズモン励起蛍光ＦＬの光量を測定する。表面プラズモン励起蛍光ＦＬの光量から、抗原１２１０の有無、抗原１２１０の捕捉量等が特定される。
【００４６】
（検査チップ及び試薬チップの配置）
生化学反応が進行させられる場合は、検査チップ１０１３及び試薬チップ１０１４が反応進行部１０１０に配置される。測定が行われる場合は、検査チップ１０１３が計測部１０１１に配置される。搬送機構１０１２は、反応進行部１０１０から計測部１０１１へ及び計測部１０１１から反応進行部１０１０へ検査チップ１０１３を搬送する。
【００４７】
（液体の送液）
図１３及び図１４の模式図は、ノズルが挿入孔に挿入された状態を示す。図１３及び図１４は、断面図である。
【００４８】
洗浄液１１６０、試料液１１６３、蛍光標識液１１６４等の液体が流路１２００に満たされる場合について述べる。まず、搬送機構１０３１がノズル１０４０の先端１２３０を液体に浸漬し、ポンプ１０４１が吐出／吸引口１２４０を経由して液体を吸引する。液体が吸引された後に、図１３に示すようにノズル１０４０が挿入孔１２５０に相対的に浅く挿入される位置に搬送機構１０３１がポンプ１０４１を搬送し、ポンプ１０４１が吐出／吸引口１２４０を経由して液体を吐出する。液体が吐出された後に、図１４に示すようにノズル１０４０が挿入孔１２５０に相対的に深く挿入される位置に搬送機構１０３１がポンプ１０４１を搬送し、ポンプ１０４１が吐出／吸引口１２４０を経由して液体を吸引する。これにより、液体が流路１２００に供給される。続いて、液体が吸引されて流路１２００から回収され、液体が流路１２００に供給されてから回収されるまで流路１２００が液体で満たされる。また、液体が供給される場合に、対向面１２６０から相対的に遠い吐出位置ＰＡに吐出／吸引口１２４０が配置され、流路抵抗が減少し、液体が十分に供給される。流路抵抗が減少した場合は、液体の粘度が異なるときでも、液体の流量が一定になり、生化学検査の精度が向上する。さらに、液体が回収される場合に、対向面１２６０に相対的に近い吸引位置ＰＢに吐出／吸引口１２４０が配置され、液体が十分に回収される。これにより、流路１２００への液体の供給及び流路１２００からの液体の回収が適切に行われ、生化学反応が適切に進行し、生化学検査の精度が向上する。
【００４９】
ノズル１０４０は、第１の液体が流路１２００から回収された後に第１の液体とは異なる第２の液体が流路１２００へ供給される場合において第１の液体が流路１２００から回収されるときに、挿入孔１２５０に相対的に深く挿入される。第１の液体が流路１２００から回収された後に第１の液体が流路１２００へ再び供給される場合において第１の液体が流路１２００から回収されるときには、ノズル１０４０は、挿入孔１２５０に相対的に深く挿入されてもよいし深く挿入されなくてもよい。同じ種類の液体が直後に再び供給される場合は、液体の混入の問題が小さいためである。
【００５０】
（ノズル）
図３に示すように、ノズル１０４０は、先端１２３０及び後端１２３１を有する。ノズル１０４０には、液体収容空間１２７０が形成される。ノズル１０４０の先端１２３０には、吐出／吸引口１２４０が形成される。ノズル１０４０の後端には、装着口１２４１が形成される。吐出／吸引口１２４０及び装着口１２４１は、液体収容空間１２７０に接続される。液体収容空間１２７０に液体が収容された状態において液体収容空間１２７０が陽圧になった場合は、液体収容空間１２７０から吐出／吸引口１２４０を経由して液体が吐出される。液体収容空間１２７０が陰圧になった場合は、吐出／吸引口１２４０を経由して液体収容空間１２７０へ液体が吸引される。
【００５１】
ノズル１０４０は、望ましくは樹脂からなる。これにより、ノズル１０４０が安価になる。ただし、ノズル１０４０が樹脂以外からなることも許される。ノズル１０４０は、さらに望ましくはポリプロピレンからなる。これにより、ノズル１０４０へのタンパク質の吸着が減少し、生化学検査の精度が向上する。
【００５２】
ノズル１０４０は、ピペット、ピペットチップ等とも呼ばれる。
【００５３】
（ポンプ）
ノズル装着部１１６１には、ノズル１０４０が装着される。ノズル装着部１１６１にノズル１０４０が装着される場合は、装着口１２４１にノズル装着部１１６１が圧入され、ノズル装着部１１６１及びノズル１０４０の間にＯリング１１５１が挟まれ、ノズル装着部１１６１及びノズル１０４０の間隙がＯリング１１５１で閉塞される。これにより、液体収容空間１２７０を陽圧又は陰圧に調整できる。ノズル装着部１１６１及びノズル１０４０の両方又は片方が弾性を持つ場合は、Ｏリング１１５１が省略されても、ノズル装着部１１６１及びノズル１０４０が密着しノズル装着部１１６１及びノズル１０４０の間隙が十分に閉塞される。
【００５４】
シリンダー室形成部１１６０には、シリンダー室１２８０が形成される。シリンダー室１２８０には、ピストン１１５２が収容される。ピストン１１５２は、モーター１１５３に機械的に接続される。モーター１１５３は、シリンダー室１２８０の内部においてピストン１１５２を往復動させる。シリンダー室形成部１１６０及びノズル装着部１１６１の両方の役割を果たす構造物がポンプ１０４１に設けられてもよい。
【００５５】
ポンプ１０４１が液体を供給する場合は、モーター１１５３がシリンダー室１２８０の内部において吐出／吸引口１２４０へ近づく方向へピストン１１５２を移動させる。これにより、液体収容空間１２７０が陽圧になり、液体収容空間１２７０から吐出／吸引口１２４０を経由して液体が吐出される。
【００５６】
流路抵抗が大きい場合は、吐出／吸引口１２４０へ近づく方向へピストン１１５２が移動させられても、シリンダー室１２８０の内部の空気がダンパーとなり、液体が十分に吐出されない。しかし、液体が吐出される場合にノズル１０４０が挿入孔１２５０に浅く挿入されるようにされたときには、シリンダー室１２８０の内部の空気がダンパーとなることが抑制され、液体が十分に吐出される。
【００５７】
ポンプ１０４１が液体を回収する場合は、モーター１１５３がシリンダー室１２８０の内部において吐出／吸引口１２４０から遠ざかる方向へピストン１１５２を移動させる。これにより、液体収容空間１２７０が陰圧になり、吐出／吸引口１２４０を経由して液体収容空間１２７０へ液体が吸引される。
【００５８】
ピストン１１５２の往復動以外により液体収容空間１２７０が陽圧及び陰圧にされてもよい。
【００５９】
ポンプ１０４１は、搬送機構１０３１により搬送される。
【００６０】
（検査チップ）
図７から図９までに示すように、シート１１３１の下側の主面１２９０には複合体１１３０が接合され、シート１１３１の上側の主面１２９１には蓋１１３２が接合される。シート１１３１及び蓋１１３２は、流路１２００及び挿入孔１２５０が形成された一体物に置き換えられてもよいし、流路１２００及び挿入孔１２５０が形成された３個以上の構成物からなる複合物に置き換えられてもよい。金膜１１４１の下側の主面１３００は、反射面１２２１に密着する。金膜１１４１の上側の主面１３０１は、定着面１３１０を有する。抗原捕捉膜１１２０は、定着面１３１０に定着されている。
【００６１】
検査チップ１０１３は、センサーチップ、分析チップ、試料セル等とも呼ばれる。
【００６２】
（プリズム）
プリズム１１４０は、台形柱体である。プリズム１１４０は、望ましくは図９にしめすように断面が等脚台形の等脚台形柱体である。プリズム１１４０の一方の傾斜側面は入射面１２２０になる。プリズム１１４０の幅広の平行側面は反射面１２２１になる。プリズム１１４０の他方の傾斜側面は出射面１２２２になる。
【００６３】
プリズム１１４０の形状は、電場増強度が極大になる入射角θｒで励起光ＥＬを反射面１２２１へ入射できるように決定される。電場増強度が極大になる入射角θｒで励起光ＥＬが反射面１２２１へ入射する限り、プリズム１１４０が台形柱体以外でもよく、プリズム１１４０が「プリズム」とは呼びがたい形状物に置き換えられてもよい。例えば、プリズム１１４０が半円柱体であってもよく、プリズム１１４０が板に置き換えられてもよい。
【００６４】
プリズム１１４０は、励起光ＥＬに対して透明な樹脂からなる。ただし、プリズム１１４０が樹脂以外からなることも許される。例えば、プリズム１１４０がガラスからなることも許される。一般的には、プリズム１１４０は、誘電体媒体であればよい。
【００６５】
プリズム１１４０が樹脂からなる場合は、プリズム１１４０は、望ましくは射出成型により成型される。ただし、プリズム１１４０が他の方法により成型されてもよい。
【００６６】
（金膜）
金膜１１４１は、薄膜である。金膜１１４１の膜厚は、望ましくは１００ｎｍ以下である。ただし、金膜１１４１の膜厚が１００ｍｍより厚くてもよい。
【００６７】
金膜１１４１は、スパッタリング、蒸着、メッキ等により形成される。ただし、金膜１１４１が他の方法により形成されてもよい。
【００６８】
金膜１１４１が他の種類の導電体からなる導電体膜に置き換えられてもよい。例えば、金膜１１４１が銀、銅、アルミニウム等の金属又はこれらの金属を含む合金からなる導電体膜に置き換えられてもよい。
【００６９】
（抗原捕捉膜）
抗原捕捉膜１１２０は、膜形状を持つ。これにより、増強されたエバネッセント場が蛍光標識を励起しやすくなり、生化学検査の精度が向上する。
【００７０】
抗原捕捉膜１１２０は、流路１２００の内部に配置される。これにより、洗浄液１１６０、試料液１１６３、蛍光標識液１１６４等の液体が流路１２００に満たされた場合に、流路１２００に満たされた液体が抗原捕捉膜１１２０に接触する。
【００７１】
抗原捕捉膜１１２０は、非流動体からなる。これにより、液体が抗原捕捉膜１１２０に接触しても、抗原捕捉膜１１２０が移動しない。
【００７２】
抗原捕捉膜１１２０は、望ましくはラバー製のアプリケーターによりパターニングされる。ただし、抗原捕捉膜１１２０が他の方法によりパターニングされてもよい。抗原捕捉膜１１２０の平面形状は、円形、多角形等である。抗原捕捉膜１１２０の径は、望ましくは数ｍｍである。抗原捕捉膜１１２０の厚さは、望ましくは１００ｎｍ以下である。
【００７３】
抗原捕捉膜１１２０が形成される場合は、金膜１１４１の上側の主面１３０１に自己組織化（ＳＡＭ）膜が形成され、自己組織化膜上に固相支持体層が形成され、固相支持体に抗体１２１１が固定される。
【００７４】
抗原捕捉膜１１２０には、望ましくは保存用の試薬が塗布される。これにより、抗原捕捉膜１１２０に固定される抗体１２１１がタンパク質であっても抗原１２１０の捕捉能力が長期間維持される。保存用の試薬は、捕捉能力を阻害しない保湿剤であり、望ましくはショ糖水溶液を主成分とする液体である。検査チップ１０１３は、望ましくは抗原捕捉膜１１２０に保存用の試薬が塗布された後に乾燥された状態で保管される。ただし、保存用の試薬の塗布が省略される場合もある。
【００７５】
（シート）
シート１１３１には、流路１２００が形成される。流路１２００は、シート１１３１の下側の主面１２９０と上側の主面１２９１とを貫通する。流路１２００は、一方の接続端１３２０から他方の接続端１３２１へ至る。
【００７６】
シート１１３１は、基材の下側の主面及び上側の主面に粘着層が形成された両面粘着シートである。基材は、ポリエチレンテレフタレート（ＰＥＴ）等からなる。粘着層は、アクリル系粘着剤等の粘着剤からなる。
【００７７】
シート１１３１は、複合体１１３０と蓋１１３２とを接合する接合媒体を兼ねる。シート１１３１が接合媒体を兼ねない場合は、複合体１１３０及び蓋１１３２は、接着、レーザー溶着、超音波溶着、クランプ圧着等により接合される。
【００７８】
シート形状を有するシート１１３１に流路１２００が形成された場合は、流路１２００の容積が小さくなり、生化学検査に必要な試料液１１６３が少量でよい。しかし、シート１１３１が「シート」とは呼びがたい形状物に置き換えられてもよい。
【００７９】
（蓋）
蓋１１３２には、挿入孔１２５０及び液だめ１２５１が形成される。
【００８０】
挿入孔１２５０は、接続端１３３０及び開口１３３１を有する。挿入孔１２５０の接続端１３３０は、流路１２００の一方の接続端１３２０に接続される。これにより、ノズル１０４０が挿入孔１２５０に挿入された場合に液体を流路１２００へ供給でき液体を流路１２００から回収できる。挿入孔１２５０の開口１３３１は、蓋１１３２の挿入孔密閉面１３４０に配置される。これにより、挿入孔密閉シール１１３３を突き破ってノズル１０４０を挿入孔１２５０に挿入できる。
【００８１】
挿入孔１２５０は、望ましくは直線的に延在する。これにより、ノズル１０４０を挿入孔１２５０に挿入することが容易になる。
【００８２】
液だめ１２５１は、接続端１３５０及び開口１３５１を有する。液だめ１２５１の接続端１３５０は流路１２００の他方の接続端１３２１に接続される。液だめ１２５１の開口１３５１は蓋１１３２の液だめ密閉面１３４１に配置される。液だめ１２５１により、流路１２００の一方の接続端１３２０及び他方の接続端１３２１の間に液体を容易に往復させることができ、生化学反応を進行させやすくなる。
【００８３】
蓋１１３２は、表面プラズモン励起蛍光ＦＬ及び励起光ＥＬの散乱光ＳＬに対して透明な樹脂からなる。ただし、蓋１１３２が樹脂以外からなることも許される。例えば、蓋１１３２がガラスからなることも許される。
【００８４】
蓋１１３２が樹脂からなる場合は、蓋１１３２は、望ましくは射出成型により成型される。ただし、蓋１１３２が他の方法により成型されてもよい。
【００８５】
蓋１１３２が「蓋」とは呼びがたい形状物に置き換えられてもよい。
【００８６】
（密閉シール）
挿入孔密閉シール１１３３及び液だめ密閉シール１１３４は、それぞれ、挿入孔密閉面１３４０及び液だめ密閉面１３４１に貼られ、挿入孔１２５０の開口１３３１及び液だめ１２５１の開口１３５１を閉塞する。これにより、挿入孔１２５０、液だめ１２５１及び流路１２００が密閉される。
【００８７】
挿入孔密閉シール１１３３及び液だめ密閉シール１１３４は、望ましくは樹脂からなる。ただし、挿入孔密閉シール１１３３及び液だめ密閉シール１１３４が樹脂以外からなることも許される。例えば、挿入孔密閉シール１１３３及び液だめ密閉シール１１３４が樹脂からなるシート及びアルミニウムからなるシートの積層体であってもよい。
【００８８】
（レーザーダイオード）
図５に示すように、レーザーダイオード１０９０は励起光ＥＬを放射する。
【００８９】
レーザーダイオード１０９０が他の形式の光源に置き換えられてもよい。例えば、レーザーダイオード１０９０が発光ダイオード、水銀灯、レーザーダイオード以外のレーザー等に置き換えられてもよい。
【００９０】
（直線偏光板）
直線偏光板１０９１は、励起光ＥＬの光路上に配置され、レーザーダイオード１０９０から放射された励起光ＥＬを直線偏光へ変換する。励起光ＥＬの偏光方向は、励起光ＥＬが反射面１２２１に対してｐ偏光になるように選択される。これにより、エバネッセント波のもれだしが増加し、表面プラズモン励起蛍光ＦＬの光量が増加し、生化学検査の精度が向上する。
【００９１】
（ミラー）
ミラー１０９２は、励起光ＥＬの光路上に配置され、直線偏光板１０９１を通過した励起光ＥＬを反射する。ミラー１０９２により反射された励起光ＥＬは、プリズム１１４０に照射される。
【００９２】
（ミラー駆動機構）
ミラー駆動機構１０９３は、ミラー１０９２を回転させ、ミラー１０９２の姿勢を調整する。また、ミラー駆動機構１０９３は、レーザーダイオード１０９０の光軸方向にミラー１０９２を移動させ、ミラー１０９２の位置を調整する。これにより、反射面１２２１への励起光ＥＬの入射位置を定着面１３１０の裏側に維持したまま反射面１２２１への励起光ＥＬの入射角θを調整できる。反射面１２２１への励起光ＥＬの入射角θは、全反射条件を満たす。
【００９３】
（光電子増倍管）
光電子増倍管１１００は、表面プラズモン励起蛍光ＦＬの光路上に配置され、表面プラズモン励起蛍光ＦＬ及び散乱光ＳＬの光量を測定する。光電子増倍管１１００が他の形式の光量センサーに置き換えられてもよい。例えば、光電子増倍管１１００が電荷結合素子（ＣＣＤ）センサー等に置き換えられてもよい。
【００９４】
（ローパスフィルター）
ローパスフィルター１１０１は、カットオフ波長より長い波長の光を透過し、カットオフ波長より短い波長の光を減衰させる。カットオフ波長は、励起光ＥＬの波長から表面プラズモン励起蛍光ＦＬの波長までの範囲内で選択される。
【００９５】
ローパスフィルター１１０１が表面プラズモン励起蛍光ＦＬの光路上に配置される場合は、散乱光ＳＬはローパスフィルター１１０１により減衰し、散乱光ＳＬのごく一部が光電子増倍管１１００に到達するが、表面プラズモン励起蛍光ＦＬはローパスフィルター１１０１を透過し、表面プラズモン励起蛍光ＦＬの大部分が光電子増倍管１１００に到達する。これにより、相対的に光量が小さい表面プラズモン励起蛍光ＦＬの光量が測定される場合に相対的に光量が大きい散乱光ＳＬの影響が抑制され、生化学検査の精度及び感度が向上する。ローパスフィルター１１０１がバンドパスフィルターに置き換えられてもよい。
【００９６】
（ローパスフィルター駆動機構）
ローパスフィルター駆動機構１１０２は、ローパスフィルター１１０１が表面プラズモン励起蛍光ＦＬの光路上に配置された状態とローパスフィルター１１０１が表面プラズモン励起蛍光ＦＬの光路上に配置されない状態とを切り替える。
【００９７】
（フォトダイオード）
フォトダイオード１１０３は、励起光ＥＬの反射光ＲＬの光路上に配置され反射光ＲＬの光量を測定する。フォトダイオード１１０３が他の形式の光量センサーに置き換えられてもよい。例えば、フォトダイオード１１０３がフォトトランジスター、フォトレジスター等に置き換えられてもよい。電場増強度が極大になる入射角θｒが散乱光ＳＬの光量から検出される場合は、フォトダイオード１１０３が省略されてもよい。フォトダイオード１１０３が省略される場合は、望ましくは光吸収体が反射光ＲＬの光路上に配置される。
【００９８】
（送液コントローラー及び計測コントローラー）
図４に示す送液コントローラー１０２１及び図６に示す計測コントローラー１０８２は、制御プログラムを実行する組み込みコンピューターである。１個の組み込みコンピューターが送液コントローラー１０２１及び計測コントローラー１０８２の機能を担ってもよいし、２個以上の組み込みコンピューターが分担して送液コントローラー１０２１及び計測コントローラー１０８２の機能を担ってもよい。ソフトウエアを伴わないハードウエアが送液コントローラー１０２１及び計測コントローラー１０８２の全部又は一部の機能を担ってもよい。ハードウエアは、例えば、オペアンプ、コンパレーター等の電子回路である。
【００９９】
（生化学検査の手順）
図１５及び図１６のフローチャートは、生化学検査の手順を示す。図１７の模式図は、搬送の手順を示す。生化学検査の手順の一部が、作業者の手作業により行われてもよく、生化学検査装置１０００の外部において行われてもよい。
【０１００】
（検査チップ及び試薬チップの取り付け）
検査チップ１０１３及び試薬チップ１０１４が準備され反応進行部１０１０に取り付けられる（ステップＳ１０１）。検査チップ１０１３及び試薬チップ１０１４は、生化学検査ごとに準備される。検査チップ１０１３及び試薬チップ１０１４は、検体１１６１ごとに交換され、使い捨てされる。試薬チップ１０１４が準備される場合には、検体容器１１５１に検体１１６１が収容される。検体１１６１は、典型的には、血液等の人間からの採取物であるが、人間以外の生物からの採取物であってもよく、非生物からの採取物であってもよい。
【０１０１】
（ノズルの装着）
検査チップ１０１３及び試薬チップ１０１４が反応進行部１０１０に取り付けられた後に、ノズル１０４０がノズル装着部１１６１に装着される（ステップＳ１０２）。
【０１０２】
ノズル１０４０がノズル装着部１１６１に装着される場合は、搬送機構１０３１が装着制御部１０７０による制御にしたがってポンプ１０４１を搬送する。この制御により、ホルダー１１５５に保持されているノズル１０４０（位置Ｐ１）の装着口１２４１にノズル装着部１１６１が圧入される。
【０１０３】
圧入量は、ノズル１０４０の延在方向についてのポンプ１０４１の昇降量により調整される。圧入量が圧入トルクにより調整されてもよい。
【０１０４】
（ノズルの先端の検出）
ノズル１０４０が装着された後に、ノズル１０４０の先端１２３０が検出される（ステップＳ１０３）。
【０１０５】
ノズル１０４０の先端１２３０が検出される場合は、搬送機構１０３１が先端検出部１０７１による制御にしたがってポンプ１０４１を搬送する。この制御により、ノズル１０４０の先端１２３０が蓋１１３２の上側の面１３６０に当接され（位置Ｐ７）、ノズル１０４０の先端１２３０が検出される。ノズル１０４０の先端１２３０が蓋１１３２の上側の面１３６０に当接されたことは、ポンプ１０４１を搬送するのに必要な力の増加により検出されてもよいし、ノズル１０４０の投影画像から検出されてもよい。蓋１１３２の上側の面１３６０以外の基準面にノズル１０４０の先端１２３０が当接されてもよい。
【０１０６】
ノズル１０４０の先端１２３０の検出とは、ノズル１０４０の先端１２３０が存在する位置を特定することをいう。これにより、ノズル１０４０の長さがノズル１０４０の個体ごとに異なりポンプ１０４１に対するノズル１０４０の先端１２３０の位置がノズル１０４０の個体ごとに異なる場合でも、ノズル１０４０の先端１２３０が検出された後には、ノズル１０４０の位置がポンプ１０４１の位置により特定され、ノズル１０４０の先端１２３０が希望の位置に配置される。ただし、ノズル１０４０の長さのばらつきが無視できる場合等には、ノズル１０４０の先端１２３０の検出が省略されてもよい。
【０１０７】
（ポンプの位置の決定）
ノズル１０４０の先端１２３０が検出された後に、ポンプ位置決定部１０７２は、ノズル１０４０の先端１２３０の検出結果から、ノズル１０４０の先端１２３０が吐出位置ＰＡ及び吸引位置ＰＢに配置されるようなポンプ１０４１の位置を決定する（ステップＳ１０４）。
【０１０８】
以下の液体の供給及び回収においては、ポンプ１０４１が液体を吐出する場合にはノズル１０４０の先端１２３０が吐出位置ＰＡに配置される位置へポンプ１０４１が搬送され、ポンプ１０４１が液体を吸引する場合にはノズル１０４０の先端１２３０が吸引位置ＰＢに配置される位置へポンプ１０４１が搬送される。ノズル１０４０が相対的に長い場合にはポンプ１０４１は相対的に上方に配置され、ノズル１０４０が相対的に短い場合にはポンプ１０４１は相対的に下方に配置される。
【０１０９】
これにより、ノズル１０４０の長さがノズル１０４０の個体ごとに異なる場合でもノズル１０４０の先端１２３０が一定の位置に配置され、液体の供給及び回収が安定する。生化学検査の精度が向上する。
【０１１０】
（検査チップの洗浄）
ポンプ１０４１の位置が決定された後に、検査チップ１０１３が洗浄される（ステップＳ１０５）。
【０１１１】
検査チップ１０１３が洗浄される場合は、搬送機構１０３１が洗浄液供給制御部１０７３による制御にしたがってポンプ１０４１を搬送し、ポンプ１０４１が洗浄液供給制御部１０７３による制御にしたがって洗浄液１１６０を吐出／吸引する。この制御により、ノズル１０４０の先端１２３０が洗浄液１１６０に浸漬され（位置Ｐ２）、洗浄液１１６０が吸引され、ノズル１０４０が挿入孔１２５０に挿入され（位置Ｐ８）、洗浄液１１６０が吐出される。これにより、洗浄液１１６０が流路１２００へ供給される。
【０１１２】
洗浄に必要な時間が経過した後に、搬送機構１０３１が洗浄液回収制御部１０７４による制御にしたがってポンプ１０４１を搬送し、ポンプ１０４１が洗浄液回収制御部１０７４による制御にしたがって洗浄液１１６０を吸引する。この制御により、ノズル１０４０がさらに深く挿入され（位置Ｐ９）、洗浄液１１６０が吸引される。これにより洗浄液１１６０が流路１２００から回収される。
【０１１３】
洗浄液１１６０が供給されてから回収されるまでの間は流路１２００に洗浄液１１６０が満たされ、流路１２００及び抗原捕捉膜１１２０の汚染物、抗原捕捉膜１１２０に塗布されている保存用の試薬等が除去される。
【０１１４】
ノズル１０４０が挿入孔１２５０に挿入される場合は、ノズル１０４０の先端１２３０及び挿入孔１２５０の開口１３３１が対向させられる。このとき、ノズル１０４０の延在方向及び挿入孔１２５０の延在方向は一致させられている。続いて、ポンプ１０４１が下降させられ、ノズル１０４０が挿入孔１２５０に挿入される。
【０１１５】
洗浄液１１６０が吸引される場合には、ノズル１０４０の先端１２３０は、挿入孔１２５０又は流路１２００の内部の吸引位置ＰＢに配置され、望ましくは流路１２００の内部の吸引位置ＰＢに配置され、さらに望ましくは挿入孔１２５０の接続端１３３０に対向する対向面１２６０からノズル１０４０の先端１２３０までの距離が０．３ｍｍ以下になる吸引位置ＰＢに配置される。
【０１１６】
洗浄液１１６０が吐出される場合には、ノズル１０４０の先端１２３０は、洗浄液１１６０が吸引される場合よりも挿入孔１２５０の開口１３３１に近い吐出位置ＰＡに配置される。
【０１１７】
ノズル１０４０の先端１２３０は一定の位置に配置され、洗浄液１１６０は流路１２００から安定して回収される。洗浄液１１６０が流路１２００から回収された後に流路１２００に残存する洗浄液１１６０の量は十分に少ない。このため、検査チップ１０１３が洗浄された後に流路１２００に供給される液体は洗浄液１１６０にほとんど希釈されず、後の生化学反応が平衡反応であっても、洗浄液１１６０が後の生化学反応に与える影響は小さい。
【０１１８】
流路１２００及び抗原捕捉膜１１２０が清浄であり、かつ、保存用の試薬等の生化学反応を阻害する物質が抗原捕捉膜１１２０に塗布されない場合は、検査チップ１０１３の洗浄が省略されてもよい。検査チップ１０１３の洗浄が２回以上繰り返されてもよい。
【０１１９】
（試料液の調製）
検査チップ１０１３が洗浄された後に試料液１１６３が調製される（ステップＳ１０６）。
【０１２０】
試料液１１６３が調製される場合は、搬送機構１０３１が試料液調製制御部１０７５による制御にしたがってポンプ１０４１を搬送し、ポンプ１０４１が試料液調製制御部１０７５による制御にしたがって検体１１６１及び希釈液１１６２を吐出／吸引する。この制御により、ノズル１０４０の先端１２３０が検体１１６１に浸漬され（位置Ｐ３）、検体１１６１が吸引され、ノズル１０４０の先端１２３０が試料液容器１１５３の内部に配置され（位置Ｐ５）、検体１１６１が吐出される。これにより、検体容器１１５１から試料液容器１１５３へ検体１１６１が送液される。また、ノズル１０４０の先端１２３０が希釈液１１６２に浸漬され（位置Ｐ４）、希釈液１１６２が吸引され、ノズル１０４０の先端１２３０が試料液容器１１５３の内部に配置され（位置Ｐ５）、希釈液１１６２が吐出される。これにより、希釈液容器１１５２から試料液容器１１５３へ希釈液１１６２が送液される。検体１１６１及び希釈液１１６２は、試料液容器１１５３の内部において混合され、試料液１１６３になる。
【０１２１】
試料液１１６３が操作者の手作業により調製されてもよく生化学検査装置１０００の外部において調製されてもよい。検体１１６１がそのまま試料液１１６３とされてもよい。希釈に代えて又は希釈に加えて、希釈以外の前処理が行われてもよい。例えば、血球分離、試薬の混合等が行われてもよい。
【０１２２】
（１次免疫反応）
試料液１１６３が調製された後に１次免疫反応（抗原抗体反応）が進行させられる（ステップＳ１０７）。
【０１２３】
１次免疫反応が進行させられる場合は、搬送機構１０３１が試料液供給制御部１０７６による制御にしたがってポンプ１０４１を搬送し、ポンプ１０４１が試料液供給制御部１０７６による制御にしたがって試料液１１６３を吐出／吸引する。この制御により、ノズル１０４０の先端１２３０が試料液１１６３に浸漬され（位置Ｐ５）、試料液１１６３が吸引され、ノズル１０４０が挿入孔１２５０に挿入され（位置Ｐ８）、試料液１１６３が吐出される。これにより、試料液１１６３が流路１２００へ供給される。
【０１２４】
１次免疫反応に必要な時間が経過した後に、搬送機構１０３１が試料液回収制御部１０７７による制御にしたがってポンプ１０４１を搬送し、ポンプ１０４１が試料液回収制御部１０７７による制御にしたがって試料液１１６３を吸引する。この制御により、ノズル１０４０がさらに深く挿入され（位置Ｐ９）、試料液１１６３が吸引される。これにより試料液１１６３が流路１２００から回収される。
【０１２５】
試料液１１６３が供給されてから回収されるまでの間は流路１２００に試料液１１６３が満たされ、試料液１１６３が抗原捕捉膜１１２０に接触し、試料液１１６３に含まれる抗原１２１０及び抗原捕捉膜１１２０に固定された抗体１２１１が結合する。これにより、抗原１２１０が抗原捕捉膜１１２０に捕捉され、１次免疫反応が完了する。
【０１２６】
試料液１１６３が吐出／吸引される場合のノズル１０４０の先端１２３０の位置についても、洗浄液１１６０が吐出／吸引される場合と同じことがいえる。
【０１２７】
ノズル１０４０の先端１２３０は一定の位置に配置され、試料液１１６３は流路１２００から安定して回収される。試料液１１６３が流路１２００から回収された後に流路１２００に残存する試料液１１６３の量は十分に少ない。このため、１次免疫反応の後に流路１２００に供給される液体は試料液１１６３にほとんど希釈されず、後の生化学反応が平衡反応であっても、試料液１１６３が後の生化学反応に与える影響は小さい。
【０１２８】
（検査チップの洗浄）
１次免疫反応が完了した後に、ステップＳ１０５と同じように検査チップ１０１３が洗浄される（ステップＳ１０８）。
【０１２９】
（電場増強度が極大になる入射角θｒの検出）
１次免疫反応が完了した後に電場増強度が極大になる入射角（共鳴角）θｒが検出される（ステップＳ１０９）。
【０１３０】
電場増強度が極大になる入射角θｒが検出される場合は、流路１２００がバッファー液に満たされた状態において、照射機構１０８０がプリズム１１４０に励起光ＥＬを照射し、光電子増倍管１１００が散乱光ＳＬの光量を測定する。ローパスフィルター駆動機構１１０２は、共鳴角検出部１１１０による制御にしたがって表面プラズモン励起蛍光ＦＬの光路からローパスフィルター１１０１を退避させる。ミラー駆動機構１０９３は、共鳴角検出部１１１０による制御にしたがって入射角θを走査する。共鳴角検出部１１１０は、散乱光ＳＬの光量の測定結果を取得し、散乱光ＳＬの光量が極大になる入射角θを検出する。散乱光ＳＬの光量が極大になる入射角θは、電場増強度が極大になる入射角θｒとみなされる。フォトダイオード１１０３が反射光ＲＬの光量を測定し、反射光ＲＬの光量が極小になる入射角θを共鳴角検出部１１１０が検出してもよい。検出された入射角θに微小角を加算又は減算する補正が行われてもよい。
【０１３１】
（２次免疫反応の進行）
電場増強度が極大になる入射角θｒが検出された後に２次免疫反応（抗原抗体反応）が進行させられる（ステップＳ１１０）。
【０１３２】
２次免疫反応が進行させられる場合は、搬送機構１０３１が蛍光標識液供給制御部１０７８による制御にしたがってポンプ１０４１を搬送し、ポンプ１０４１が蛍光標識液供給制御部１０７８による制御にしたがって蛍光標識液１１６４を吐出／吸引する。この制御により、ノズル１０４０の先端１２３０が蛍光標識液１１６４に浸漬され（位置Ｐ６）、蛍光標識液１１６４が吸引され、ノズル１０４０が挿入孔１２５０に挿入され（位置Ｐ８）、蛍光標識液１１６４が吐出される。これにより、蛍光標識液１１６４が流路１２００へ供給される。
【０１３３】
２次免疫反応に必要な時間が経過した後に、搬送機構１０３１が蛍光標識液回収制御部１０７９による制御にしたがってポンプ１０４１を搬送し、ポンプ１０４１が蛍光標識液回収制御部１０７９による制御にしたがって蛍光標識液１１６４を吸引する。この制御により、ノズル１０４０がさらに深く挿入され（位置Ｐ９）、蛍光標識液１１６４が吸引される。これにより蛍光標識液１１６４が流路１２００から回収される。
【０１３４】
蛍光標識液１１６４が供給されてから回収されるまでの間は流路１２００に蛍光標識液１１６４が満たされ、蛍光標識液１１６４が抗原捕捉膜１１２０に接触し、蛍光標識液１１６４に含まれる抗体１２１１及び抗原捕捉膜１１２０に捕捉された抗原１２１０が結合する。これにより、抗原捕捉膜１１２０に捕捉された抗体１２１１に蛍光標識が付加され、２次免疫反応が完了する。
【０１３５】
蛍光標識液１１６４が吐出／吸引される場合のノズル１０４０の先端１２３０の位置についても、洗浄液１１６０が吐出／吸引される場合と同じことがいえる。
【０１３６】
ノズル１０４０の先端１２３０は一定の位置に配置され、試料液１１６３は流路１２００から安定して回収される。試料液１１６３が流路１２００から回収された後に流路１２００に残存する試料液１１６３の量は十分に少ない。このため、２次免疫反応の後に流路１２００に供給される液体は試料液１１６３にほとんど希釈されず、後の生化学反応が平衡反応であっても、試料液１１６３が後の生化学反応に与える影響は小さい。
【０１３７】
（検査チップの洗浄）
２次免疫反応が完了した後に、ステップＳ１０５と同じように検査チップ１０１３が洗浄される（ステップＳ１１１）。
【０１３８】
（表面プラズモン励起蛍光の光量の測定）
２次免疫反応が完了した後に表面プラズモン励起蛍光ＦＬの光量が測定される（ステップＳ１１２）。
【０１３９】
表面プラズモン励起蛍光ＦＬの光量が測定される場合は、流路１２００がバッファー液に満たされた状態において、照射機構１０８０がプリズム１１４０に励起光ＥＬを照射し、光電子増倍管１１００が表面プラズモン励起蛍光ＦＬの光量を測定する。ローパスフィルター駆動機構１１０２は、光量測定部１１１１による制御にしたがって表面プラズモン励起蛍光ＦＬの光路にローパスフィルター１１０１を配置する。ミラー駆動機構１０９３は、光量測定部１１１１による制御にしたがって入射角θを電場増強度が極大になる入射角θｒに設定する。光量測定部１１１１は、表面プラズモン励起蛍光ＦＬの光量の測定結果を取得する。
【０１４０】
（生化学検査の方法）
生化学検査装置１０００が表面プラズモン共鳴法（ＳＰＲ）により生化学検査を行ってもよい。生化学検査装置１０００がＳＰＲにより生化学検査を行う場合は、蛍光標識液１１６４の送液が省略され、抗原１２１０が捕捉される前後における電場増強度が極大になる入射角θｒの変化が計測される。
【０１４１】
計測部１０１１が置き換えられ、生化学検査装置１０００がエライザ（ＥＬＩＳＡ）、イムノクロマトグラフィー等により生化学検査を行ってもよい。
【０１４２】
生化学検査の方法によっては、抗原捕捉膜１１２０が、膜形状を持たないが生化学反応が進行する反応場を提供する単なる反応場提供物で足りる場合もある。プリズム１１４０及び金膜１１４１を備える複合体１１３０が不要になり、複合体１１３０に代えて定着面１３１０を有する定着面形成物が設けられる場合もある。
【０１４３】
生化学検査の方法によっては、流路１２００に満たされる液体の種類、数等も変化する。
【０１４４】
本発明は詳細に示され記述されたが、上記の記述は全ての局面において例示であって限定的ではない。しがって、本発明の範囲からはずれることなく無数の修正及び変形が案出されうると解される。
【符号の説明】
【０１４５】
１０００  生化学検査装置
１０１３  検査チップ
１０１４  試薬チップ
１０３１  搬送機構
１０４０  ノズル
１０４１  ポンプ
【図１】
2013185967.tif 000003
【図２】
2013185967.tif 000004
【図３】
2013185967.tif 000005
【図４】
2013185967.tif 000006
【図５】
2013185967.tif 000007
【図６】
2013185967.tif 000008
【図７】
2013185967.tif 000009
【図８】
2013185967.tif 000010
【図９】
2013185967.tif 000011
【図１０】
2013185967.tif 000012
【図１１】
2013185967.tif 000013
【図１２】
2013185967.tif 000014
【図１３】
2013185967.tif 000015
【図１４】
2013185967.tif 000016
【図１５】
2013185967.tif 000017
【図１６】
2013185967.tif 000018
【図１７】
2013185967.tif 000019